(57)【特許請求の範囲】
【請求項１】
ネットワーク制御デバイスにより、第１アクセスネットワークデバイスの全てのセルの負荷情報を取得する段階と、
前記ネットワーク制御デバイスにより、前記全てのセルの前記負荷情報に従って、閉鎖予定セルを決定し、前記閉鎖予定セルに従って少なくとも１つの第２アクセスネットワークデバイスを決定し、前記閉鎖予定セルにおけるサービスを前記少なくとも１つの第２アクセスネットワークデバイスへ移行し、前記閉鎖予定セルを閉鎖する段階であって、前記閉鎖予定セルは、前記少なくとも１つの第２アクセスネットワークデバイスにより形成されるネットワークカバレッジエリア内にある、段階と、
前記ネットワーク制御デバイスにより、セルハイバネート通知メッセージを前記少なくとも１つの第２アクセスネットワークデバイスへ送信する段階であって、前記セルハイバネート通知メッセージは、閉鎖されたセルを示すのに用いられる識別子を伝送する、段階と
を備える、異種ネットワークエネルギー節約方法。
【請求項２】
前記ネットワーク制御デバイスにより、前記全てのセルの前記負荷情報に従って、閉鎖予定セルを決定する前記段階は、前記ネットワーク制御デバイスにより、第１の予め設定された閾値を越えない負荷情報を有するセルを前記閉鎖予定セルとして決定する段階を有する、請求項１に記載の異種ネットワークエネルギー節約方法。
【請求項３】
前記ネットワーク制御デバイスにより、前記閉鎖予定セルに従って少なくとも１つの第２アクセスネットワークデバイスを決定し、前記閉鎖予定セルにおけるサービスを前記少なくとも１つの第２アクセスネットワークデバイスへ移行する前記段階は、
前記ネットワーク制御デバイスにより、前記閉鎖予定セルに従って前記少なくとも１つの第２アクセスネットワークデバイスを決定する段階と、
前記ネットワーク制御デバイスにより、第１負荷情報取得要求を前記少なくとも１つの第２アクセスネットワークデバイスへ送信し、前記少なくとも１つの第２アクセスネットワークデバイスにより戻された負荷情報を受信する段階と、
前記ネットワーク制御デバイスにより、前記閉鎖予定セルの前記負荷情報と、前記少なくとも１つの第２アクセスネットワークデバイスの負荷情報とに従って、前記閉鎖予定セルの負荷に前記少なくとも１つの第２アクセスネットワークデバイスが耐えられるかを決定し、前記閉鎖予定セルの前記負荷に前記少なくとも１つの第２アクセスネットワークデバイスが耐えられる場合、前記閉鎖予定セルにおける前記サービスを前記少なくとも１つの第２アクセスネットワークデバイスへ移行する段階と
を有する、請求項１または２に記載の異種ネットワークエネルギー節約方法。
【請求項４】
ネットワーク制御デバイスにより、第１アクセスネットワークデバイスの全てのセルの負荷情報を取得する前記段階は、前記ネットワーク制御デバイスにより、第２負荷情報取得要求を前記第１アクセスネットワークデバイスへ送信し、前記第１アクセスネットワークデバイスにより戻されたセルの前記負荷情報を受信する段階を有する、請求項１から３のいずれか一項に記載の異種ネットワークエネルギー節約方法。
【請求項５】
前記ネットワーク制御デバイスにより、前記閉鎖予定セルにおけるサービスを前記少なくとも１つの第２アクセスネットワークデバイスへ移行し、前記閉鎖予定セルを閉鎖する前記段階は、
前記ネットワーク制御デバイスにより、前記閉鎖予定セルを示すのに用いられる識別子を伝送する第１ハンドオーバーコマンドを前記第１アクセスネットワークデバイスへ送信し、これにより、前記第１アクセスネットワークデバイスは、前記閉鎖予定セルからサービスを受けるユーザ機器（ＵＥ）を前記少なくとも１つの第２アクセスネットワークデバイスへハンドオーバーし、前記ＵＥを前記少なくとも１つの第２アクセスネットワークデバイスに接続する、段階と、
前記閉鎖予定セルを閉鎖する段階と
を有する、請求項１から４のいずれか一項に記載の異種ネットワークエネルギー節約方法。
【請求項６】
前記ネットワーク制御デバイスにより、前記閉鎖予定セルにおけるサービスを前記少なくとも１つの第２アクセスネットワークデバイスへ移行し、前記閉鎖予定セルを閉鎖する前記段階の後、
前記ネットワーク制御デバイスにより、前記第１アクセスネットワークデバイスにより送信された前記セルハイバネート通知メッセージを受信する段階をさらに備える、請求項１から５のいずれか一項に記載の異種ネットワークエネルギー節約方法。
【請求項７】
前記ネットワーク制御デバイスにより、前記閉鎖予定セルを閉鎖する前記段階の後、
前記ネットワーク制御デバイスにより、前記少なくとも１つの第２アクセスネットワークデバイスのうち１つの第２アクセスネットワークデバイスにより送信された第１起動要求を受信する段階と、
前記ネットワーク制御デバイスにより、前記第１アクセスネットワークデバイスの閉鎖された複数のセルから起動予定セルを選択し、前記起動予定セルを示すのに用いられる識別子を伝送する第２起動要求を前記第１アクセスネットワークデバイスへ送信し、これにより、前記第１アクセスネットワークデバイスは、前記起動予定セルに対応する無線周波数モジュールを作動させる、段階と
をさらに備える、請求項１から６のいずれか一項に記載の異種ネットワークエネルギー節約方法。
【請求項８】
第１アクセスネットワークデバイスの全てのセルの負荷情報を取得する取得ユニットと、
前記全てのセルの、前記取得ユニットにより取得された前記負荷情報に従って、閉鎖予定セルを決定し、前記閉鎖予定セルに従って少なくとも１つの第２アクセスネットワークデバイスを決定し、前記閉鎖予定セルにおけるサービスを前記少なくとも１つの第２アクセスネットワークデバイスへ移行し、前記閉鎖予定セルを閉鎖し、セルハイバネート通知メッセージを前記少なくとも１つの第２アクセスネットワークデバイスへ送信する処理ユニットであって、前記閉鎖予定セルは、前記少なくとも１つの第２アクセスネットワークデバイスにより形成されるネットワークカバレッジエリア内にあり、前記セルハイバネート通知メッセージは、閉鎖されたセルを示すのに用いられる識別子を伝送する、処理ユニットと
を備える、ネットワーク制御デバイス。
【請求項９】
前記処理ユニットはさらに、第１の予め設定された閾値を越えない負荷情報を有するセルを前記閉鎖予定セルとして決定する、請求項８に記載のネットワーク制御デバイス。
【請求項１０】
前記処理ユニットはさらに、
前記閉鎖予定セルに従って前記少なくとも１つの第２アクセスネットワークデバイスを決定し、
第１負荷情報取得要求を前記少なくとも１つの第２アクセスネットワークデバイスへ送信し、前記少なくとも１つの第２アクセスネットワークデバイスにより戻された負荷情報を受信し、
前記閉鎖予定セルの前記負荷情報と、前記少なくとも１つの第２アクセスネットワークデバイスの負荷情報とに従って、前記閉鎖予定セルの負荷に前記少なくとも１つの第２アクセスネットワークデバイスが耐えられるかを決定し、前記閉鎖予定セルの前記負荷に前記少なくとも１つの第２アクセスネットワークデバイスが耐えられる場合、前記閉鎖予定セルにおける前記サービスを前記少なくとも１つの第２アクセスネットワークデバイスへ移行する、請求項８または９に記載のネットワーク制御デバイス。
【請求項１１】
前記取得ユニットはさらに、第２負荷情報取得要求を前記第１アクセスネットワークデバイスへ送信し、前記第１アクセスネットワークデバイスにより戻されたセルの前記負荷情報を受信する、請求項８から１０の何れか一項に記載のネットワーク制御デバイス。
【請求項１２】
前記処理ユニットはさらに、前記閉鎖予定セルを示すのに用いられる識別子を伝送する第１ハンドオーバーコマンドを前記第１アクセスネットワークデバイスへ送信し、これにより、前記第１アクセスネットワークデバイスは、前記閉鎖予定セルからサービスを受けるユーザ機器（ＵＥ）を前記少なくとも１つの第２アクセスネットワークデバイスへハンドオーバーし、前記ＵＥを前記少なくとも１つの第２アクセスネットワークデバイスに接続し、前記処理ユニットはさらに、前記閉鎖予定セルを閉鎖する、請求項８から１１のいずれか一項に記載のネットワーク制御デバイス。
【請求項１３】
前記処理ユニットはさらに、前記第１アクセスネットワークデバイスにより送信された前記セルハイバネート通知メッセージを受信する、請求項８から１２のいずれか一項に記載のネットワーク制御デバイス。
【発明の詳細な説明】
【技術分野】
【０００１】
本願発明の複数の実施形態は、複数の通信技術に関し、特に、異種ネットワークエネルギー節約方法およびデバイスに関する。
【背景技術】
【０００２】
異種ネットワーク（Ｈｅｔｅｒｏｇｅｎｅｏｕｓ  Ｎｅｔｗｏｒｋ。略してＨｅｔＮｅｔ）は、未来志向の革新的なモバイルブロードバンドネットワークアーキテクチャであり、異なる複数のサイズおよびタイプの複数のセルにより形成され、マクロセル（ｍａｃｒｏ  ｃｅｌｌ）、ミクロセル（ｍｉｃｒｏ  ｃｅｌｌ）、ピコセル（ｐｉｃｏ  ｃｅｌｌ）、およびフェムトセル（ｆｅｍｔｏ  ｃｅｌｌ）を含み得る。異なる複数のタイプの複数のセルは、異なる複数のタイプの複数の基地局デバイスに対応している。ミクロセル、ピコセル、またはフェムトセルに対応している基地局は概して、スモールセル基地局と呼ばれる。スモールセル基地局は概して、電力に従って異なる複数のタイプに主に分類される低電力の複数の無線アクセスポイントとして見なされ、ライセンス（ｌｉｃｅｎｓｅ）を有し、オペレータにより管理される複数のアクセスポイントである。スモールセル基地局は、カバレッジホール補填などのセルカバレッジ強化機能、またはオフロードなどの容量強化機能を提供することが出来る。
【０００３】
ＨｅｔＮｅｔにおいて、これらの２Ｇ／３Ｇ／４Ｇ無線インフラストラクチャにおける主要な複数のコンポーネントは、調整されたやり方で配置され、これにより、これらのネットワークコンポーネントは、共同的に動作することが出来て、高いデータスループットレート、高いモビリティ性能、および上質なユーザ体験を提供し、２Ｇ／３Ｇ／４Ｇネットワークパフォーマンスに関するモバイルブロードバンドユーザの要求は完全に満たされる。
【０００４】
ＨｅｔＮｅｔネットワーキングの明白な特徴は、あるサービスホットスポットエリアに関して、同じエリアが、異なる複数の通信規格および異なる複数の局タイプの複数のネットワークデバイスにより繰り返しカバーされ得るということである。繰り返されるネットワークカバレッジは、より良好なネットワークサービスを提供するのに用いられ得るが、リソースがある程度無駄にされる。ネットワーキングエネルギー節約方法を提唱し、これにより、ユーザ体験に影響を与えることなくリソースの無駄を避けるという差し迫った必要性がある。
【発明の概要】
【０００５】
本願発明の複数の実施形態は、異種ネットワークエネルギー節約方法およびデバイスを提供し、これにより、リソースの無駄を避ける。
【０００６】
第１態様によると、本願発明の実施形態は、ネットワーク制御デバイスにより、第１アクセスネットワークデバイスの全てのセルの負荷情報を取得する段階と、
ネットワーク制御デバイスにより、全てのセルの負荷情報に従って、閉鎖予定セルを決定し、閉鎖予定セルに従って少なくとも１つの第２アクセスネットワークデバイスを決定し、閉鎖予定セルにおけるサービスを少なくとも１つの第２アクセスネットワークデバイスへ移行し、閉鎖予定セルを閉鎖する段階であって、閉鎖予定セルは、少なくとも１つの第２アクセスネットワークデバイスにより形成されるネットワークカバレッジエリア内にある、段階と
を備える、異種ネットワークエネルギー節約方法を提供する。
【０００７】
第１の可能な実施例において、ネットワーク制御デバイスにより、全てのセルの負荷情報に従って、閉鎖予定セルを決定する段階は、ネットワーク制御デバイスにより、第１の予め設定された閾値を越えない負荷情報を有するセルを閉鎖予定セルとして決定する段階を有する。
【０００８】
第１態様、または第１態様の第１の可能な実施例に関連して、第２の可能な実施例において、ネットワーク制御デバイスにより、閉鎖予定セルに従って少なくとも１つの第２アクセスネットワークデバイスを決定し、閉鎖予定セルにおけるサービスを少なくとも１つの第２アクセスネットワークデバイスへ移行する段階は、
ネットワーク制御デバイスにより、閉鎖予定セルに従って少なくとも１つの第２アクセスネットワークデバイスを決定する段階と、
ネットワーク制御デバイスにより、第１負荷情報取得要求を少なくとも１つの第２アクセスネットワークデバイスへ別々に送信し、少なくとも１つの第２アクセスネットワークデバイスにより別々に戻された負荷情報を受信する段階と、
ネットワーク制御デバイスにより、閉鎖予定セルの負荷情報と、少なくとも１つの第２アクセスネットワークデバイスの負荷情報とに従って、閉鎖予定セルの負荷に少なくとも１つの第２アクセスネットワークデバイスが耐えられるかを決定し、閉鎖予定セルの負荷に少なくとも１つの第２アクセスネットワークデバイスが耐えられる場合、閉鎖予定セルにおけるサービスを少なくとも１つの第２アクセスネットワークデバイスへ移行する段階と
を有する。
【０００９】
第１態様、または第１態様の第１または第２の可能な実施例に関連して、第３の可能な実施例において、ネットワーク制御デバイスにより、第１アクセスネットワークデバイスの全てのセルの負荷情報を取得する段階は、ネットワーク制御デバイスにより、第２負荷情報取得要求を第１アクセスネットワークデバイスへ送信し、第１アクセスネットワークデバイスにより戻された全てのセルの負荷情報を受信する段階を有する。
【００１０】
第１態様の第３の可能な実施例に関連して、第４の可能な実施例において、ネットワーク制御デバイスにより、閉鎖予定セルにおけるサービスを少なくとも１つの第２アクセスネットワークデバイスへ移行し、閉鎖予定セルを閉鎖する段階は、
ネットワーク制御デバイスにより、閉鎖予定セルを示すのに用いられる識別子を伝送する第１ハンドオーバーコマンドを第１アクセスネットワークデバイスへ送信し、これにより、第１アクセスネットワークデバイスは、閉鎖予定セルからサービスを受けるユーザ機器ＵＥを少なくとも１つの第２アクセスネットワークデバイスへハンドオーバーし少なくとも１つの第２アクセスネットワークデバイスに接続する、段階と、
閉鎖予定セルを閉鎖する段階と
を有する。
【００１１】
第１態様の第３の可能な実施例に関連して、第５の可能な実施例において、ネットワーク制御デバイスにより、閉鎖予定セルにおけるサービスを少なくとも１つの第２アクセスネットワークデバイスへ移行し、閉鎖予定セルを閉鎖する段階の後、方法は、
ネットワーク制御デバイスにより、第１アクセスネットワークデバイスにより送信されたセルハイバネート通知メッセージであって、閉鎖されたセルを示すのに用いられる識別子を伝送するセルハイバネート通知メッセージを受信し、セルハイバネート通知メッセージを少なくとも１つの第２アクセスネットワークデバイスへ送信する段階をさらに備える。
【００１２】
第１態様の第３の可能な実施例に関連して、第６の可能な実施例において、ネットワーク制御デバイスにより、閉鎖予定セルを閉鎖する段階の後、方法は、
ネットワーク制御デバイスにより、少なくとも１つの第２アクセスネットワークデバイスのうち１つの第２アクセスネットワークデバイスにより送信された第１起動要求を受信する段階と、
ネットワーク制御デバイスにより、第１アクセスネットワークデバイスの閉鎖されたセルから起動予定セルを選択し、起動予定セルを示すのに用いられる識別子を伝送する第２起動要求を第１アクセスネットワークデバイスへ送信し、これにより、第１アクセスネットワークデバイスは、起動予定セルに対応する無線周波数モジュールを作動させる、段階と
をさらに備える。
【００１３】
第１態様、または第１態様の第１または第２の可能な実施例に関連して、第７の可能な実施例において、ネットワーク制御デバイスは第１アクセスネットワークデバイスであり、
ネットワーク制御デバイスにより、第１アクセスネットワークデバイスの全てのセルの負荷情報を取得する段階は、
第１アクセスネットワークデバイスにより、測定を用いて、全てのセルの負荷情報を取得する段階を有する。
【００１４】
第１態様の第７の可能な実施例に関連して、第８の可能な実施例において、ネットワーク制御デバイスにより、閉鎖予定セルにおけるサービスを少なくとも１つの第２アクセスネットワークデバイスへ移行し、閉鎖予定セルを閉鎖する段階は、第１アクセスネットワークデバイスにより、閉鎖予定セルからサービスを受けるＵＥを少なくとも１つの第２アクセスネットワークデバイスへハンドオーバーし少なくとも１つの第２アクセスネットワークデバイスに接続し、閉鎖予定セルを閉鎖する段階を有する。
【００１５】
第１態様の第８の可能な実施例に関連して、第９の可能な実施例において、第１アクセスネットワークデバイスにより、閉鎖予定セルからサービスを受けるＵＥを少なくとも１つの第２アクセスネットワークデバイスへハンドオーバーし少なくとも１つの第２アクセスネットワークデバイスに接続する段階は、
第１アクセスネットワークデバイスにより、第２ハンドオーバーコマンドを閉鎖予定セルからサービスを受けるＵＥへ送信し、これにより、ＵＥは、第２ハンドオーバーコマンドに従って、少なくとも１つの第２アクセスネットワークデバイスのうち１つの第２アクセスネットワークデバイスへハンドオーバーし１つの第２アクセスネットワークデバイスに接続する、段階、または
第１アクセスネットワークデバイスにより、閉鎖予定セルに対応する無線周波数モジュールの送信電力を徐々に下げ、これにより、閉鎖予定セルの信号品質が予め設定された値より低いことを検出したとき、ＵＥは、少なくとも１つの第２アクセスネットワークデバイスのうち１つの第２アクセスネットワークデバイスに接続する、段階
を含む。
【００１６】
第１態様の第７の可能な実施例に関連して、第１０の可能な実施例において、ネットワーク制御デバイスにより、閉鎖予定セルにおけるサービスを少なくとも１つの第２アクセスネットワークデバイスへ移行し、閉鎖予定セルを閉鎖する段階の後、方法は、
第１アクセスネットワークデバイスにより、閉鎖されたセルを示すのに用いられる識別子を伝送するセルハイバネート通知メッセージを少なくとも１つの第２アクセスネットワークデバイスへ送信する段階をさらに備える。
【００１７】
第１態様の第７の可能な実施例に関連して、第１１の可能な実施例において、ネットワーク制御デバイスにより、閉鎖予定セルを閉鎖する段階の後、方法は、
第１アクセスネットワークデバイスにより、少なくとも１つの第２アクセスネットワークデバイスのうち１つの第２アクセスネットワークデバイスにより送信された起動要求であって、起動予定セルを示すのに用いられる識別子を伝送する起動要求を受信する段階と、
第１アクセスネットワークデバイスにより、起動予定セルに対応する無線周波数モジュールを作動させる段階と
をさらに備える。
【００１８】
第１態様の第１１の可能な実施例に関連して、第１２の可能な実施例において、第１アクセスネットワークデバイスにより、起動予定セルに対応する無線周波数モジュールを作動させる段階は、
第１アクセスネットワークデバイスにより、最大送信電力を用いて、起動予定セルに対応する無線周波数モジュールを作動させる段階、または
第１アクセスネットワークデバイスにより、起動予定セルに対応する無線周波数モジュールの送信電力を徐々に上げる段階
を有する。
【００１９】
第２態様によると、本願発明の実施形態は、第１アクセスネットワークデバイスの全てのセルの負荷情報を取得するよう構成された取得ユニットと、
全てのセルの、取得ユニットにより取得された負荷情報に従って、閉鎖予定セルを決定し、閉鎖予定セルに従って少なくとも１つの第２アクセスネットワークデバイスを決定し、閉鎖予定セルにおけるサービスを少なくとも１つの第２アクセスネットワークデバイスへ移行し、閉鎖予定セルを閉鎖するよう構成された処理ユニットであって、閉鎖予定セルは、少なくとも１つの第２アクセスネットワークデバイスにより形成されるネットワークカバレッジエリア内にある、処理ユニットと
を備える、ネットワーク制御デバイスを提供する。
【００２０】
第１の可能な実施例において、処理ユニットはさらに、第１の予め設定された閾値を越えない負荷情報を有するセルを閉鎖予定セルとして決定するよう構成されている。
【００２１】
第２態様、または第２態様の第１の可能な実施例に関連して、第２の可能な実施例において、処理ユニットはさらに、
閉鎖予定セルに従って少なくとも１つの第２アクセスネットワークデバイスを決定し、
第１負荷情報取得要求を少なくとも１つの第２アクセスネットワークデバイスへ別々に送信し、少なくとも１つの第２アクセスネットワークデバイスにより別々に戻された負荷情報を受信し、
閉鎖予定セルの負荷情報と、少なくとも１つの第２アクセスネットワークデバイスの負荷情報とに従って、閉鎖予定セルの負荷に少なくとも１つの第２アクセスネットワークデバイスが耐えられるかを決定し、閉鎖予定セルの負荷に少なくとも１つの第２アクセスネットワークデバイスが耐えられる場合、閉鎖予定セルにおけるサービスを少なくとも１つの第２アクセスネットワークデバイスへ移行する
よう構成されている。
【００２２】
第２態様、または第２態様の第１または第２の可能な実施例に関連して、第３の可能な実施例において、取得ユニットはさらに、第２負荷情報取得要求を第１アクセスネットワークデバイスへ送信し、第１アクセスネットワークデバイスにより戻された全てのセルの負荷情報を受信するよう構成されている。
【００２３】
第２態様の第３の可能な実施例に関連して、第４の可能な実施例において、処理ユニットはさらに、閉鎖予定セルを示すのに用いられる識別子を伝送する第１ハンドオーバーコマンドを第１アクセスネットワークデバイスへ送信するよう構成されており、これにより、第１アクセスネットワークデバイスは、閉鎖予定セルからサービスを受けるユーザ機器ＵＥを少なくとも１つの第２アクセスネットワークデバイスへハンドオーバーし少なくとも１つの第２アクセスネットワークデバイスに接続し、処理ユニットはさらに、閉鎖予定セルを閉鎖するよう構成されている。
【００２４】
第２態様の第３の可能な実施例に関連して、第５の可能な実施例において、処理ユニットはさらに、第１アクセスネットワークデバイスにより送信されたセルハイバネート通知メッセージであって、閉鎖されたセルを示すのに用いられる識別子を伝送するセルハイバネート通知メッセージを受信し、セルハイバネート通知メッセージを少なくとも１つの第２アクセスネットワークデバイスへ送信するよう構成されている。
【００２５】
第２態様の第３の可能な実施例に関連して、第６の可能な実施例において、処理ユニットはさらに、
少なくとも１つの第２アクセスネットワークデバイスのうち１つの第２アクセスネットワークデバイスにより送信された第１起動要求を受信し、
第１アクセスネットワークデバイスの閉鎖されたセルから起動予定セルを選択し、起動予定セルを示すのに用いられる識別子を伝送する第２起動要求を第１アクセスネットワークデバイスへ送信するよう構成されており、これにより、第１アクセスネットワークデバイスは、起動予定セルに対応する無線周波数モジュールを作動させる。
【００２６】
先述の複数の技術的解決法から分かるのは、本願発明の複数の実施形態で提供される異種ネットワークエネルギー節約方法およびデバイスによると、ネットワーク制御デバイスにより、第１アクセスネットワークデバイスの全てのセルの負荷情報が取得され、全てのセルの負荷情報に従って、閉鎖予定セルが決定され、閉鎖予定セルに従って少なくとも１つの第２アクセスネットワークデバイスが決定され、閉鎖予定セルにおけるサービスが少なくとも１つの第２アクセスネットワークデバイスへ移行され、閉鎖予定セルが閉鎖され、閉鎖予定セルは、少なくとも１つの第２アクセスネットワークデバイスにより形成されるネットワークカバレッジエリア内にある、ということである。容量強化タイプのネットワークリソースを提供する第１アクセスネットワークデバイスのセルの負荷が監視され、そのセルが少量のサービス負荷量に耐えているとき、そのセルのサービスがカバレッジタイプのネットワークリソースを提供するのに用いられる第２アクセスネットワークデバイスへ移行され、そのセルは閉鎖される。このことによって異種ネットワーク上でエネルギー節約が実装され、リソースの無駄を避けることになる。
【図面の簡単な説明】
【００２７】
本願発明の複数の実施形態における、または従来技術における複数の技術的解決法をより明確に説明すべく、以下では、それら実施形態または従来技術を説明するために要する添付の複数の図面が簡単に紹介される。明らかに、以下の説明における添付の複数の図面は本願発明の一部の実施形態を示しており、当業者は、これらの添付の図面から創造的努力なしで他の複数の図面をさらに導き出し得る。
【００２８】
【図１】本願発明の実施形態に係る第１の異種ネットワークエネルギー節約方法のフローチャートである。
【００２９】
【図２】本願発明の実施形態に係る第２の異種ネットワークエネルギー節約方法のフローチャートである。
【００３０】
【図３】本願発明の実施形態に係る第３の異種ネットワークエネルギー節約方法のフローチャートである。
【００３１】
【図４】本願発明の実施形態に係る第１のネットワーク制御デバイスの構造の概略図である。
【００３２】
【図５】本願発明の実施形態に係る第２のネットワーク制御デバイスの構造の概略図である。
【発明を実施するための形態】
【００３３】
本願発明の複数の実施形態の複数の目的、技術的解決法、および利点をより明確にすべく、以下では、本願発明の複数の実施形態における複数の添付図面に関連して本願発明の複数の実施形態における複数の技術的解決法が明確かつ完全に説明される。明らかに、説明されている複数の実施形態は、本願発明の複数の実施形態のうち一部であり全てではない。創造的努力なしで本願発明の複数の実施形態に基づいて当業者により得られる全ての他の実施形態が本願発明の保護範囲内に含まれる。
【００３４】
図１は、本願発明の実施形態に係る第１の異種ネットワークエネルギー節約方法のフローチャートである。図１に示されているように、本実施形態で提供される異種ネットワークエネルギー節約方法は具体的に、異種ネットワークＨｅｔＮｅｔのエネルギー節約プロセスに適用され得る。本異種ネットワークは、１または複数の第１アクセスネットワークデバイスと１または複数の第２アクセスネットワークデバイスとを含む。第１アクセスネットワークデバイスは、スモールセル基地局などの容量強化タイプのネットワークリソースを提供するよう構成され得る。第２アクセスネットワークデバイスは、マクロ基地局などの容量カバレッジタイプのネットワークリソースを提供するよう構成され得る。１つの第１アクセスネットワークデバイスのネットワークカバレッジエリアが、１つの第２アクセスネットワークデバイスのネットワークカバレッジエリア内にあり得、または複数の第２アクセスネットワークデバイスの複数のネットワークカバレッジエリアと部分的に重なり得る。
【００３５】
本実施形態で提供される異種ネットワークエネルギー節約方法は具体的に以下を含む。
【００３６】
段階１０。ネットワーク制御デバイスが第１アクセスネットワークデバイスの全てのセルの負荷情報を取得する。
【００３７】
具体的に、ネットワーク制御デバイスは、ネットワーク内に配置され得、そのネットワーク内の第１アクセスネットワークデバイスおよび第２アクセスネットワークデバイスとリアルタイムの、または定期的な通信を実行し得、これにより、第１アクセスネットワークデバイスおよび第２アクセスネットワークデバイスの複数の負荷状態を監視し得る。第１アクセスネットワークデバイスは、シングルキャリアまたはマルチキャリアネットワークデバイスであり得る。各アンテナのカバレッジエリアは、１または複数のセルに分割され得、各セルは、固有のセル識別子を有する。第１アクセスネットワークデバイスがマルチキャリアネットワークデバイスであるとき、異なる複数の周波数に対応する複数のセルが、地理的位置に関して重なり得る。
【００３８】
ネットワーク制御デバイスは、第１アクセスネットワークデバイスの各セルの負荷情報を取得するよう第１アクセスネットワークデバイスに要求し得、また第１アクセスネットワークデバイスは、予め設定された期間に従って、先述の負荷情報をネットワーク制御デバイスに送信し得る。負荷情報は具体的に、接続された状態にあるユーザの数、およびＰＲＢ（物理リソースブロック。ｐｈｙｓｉｃａｌ  ｒｅｓｏｕｒｃｅ  ｂｌｏｃｋ）使用率などの情報を含み得、リアルタイムの、またはある期間内のセルの負荷状態を示すのに用いられる。頻繁な動作を避けることを目的として、好ましくは、ネットワーク制御デバイスにより取得される負荷情報は、ある期間内のセルの負荷状態を示すのに用いられる。
【００３９】
段階２０。ネットワーク制御デバイスが、全てのセルの負荷情報に従って閉鎖予定セルを決定し、閉鎖予定セルに従って少なくとも１つの第２アクセスネットワークデバイスを決定し、閉鎖予定セルにおけるサービスを少なくとも１つの第２アクセスネットワークデバイスへ移行し、閉鎖予定セルを閉鎖する。ここで閉鎖予定セルは、少なくとも１つの第２アクセスネットワークデバイスにより形成されるネットワークカバレッジエリア内にある。
【００４０】
あるセルの負荷量が比較的小さい場合、そのセルは、リソースの無駄を避けるよう閉鎖され得る。そのセルが閉鎖される前に、そのセルにより伝送されるサービスは、第２アクセスネットワークデバイスへと移行される必要があり、これにより、サービスの中断を避ける。具体的に、ネットワーク制御デバイスは、閉鎖予定セルを、予め設定されたセル閉鎖ルールに従って決定し得る。例えば、このことに限定されないが、セル閉鎖ルールは以下のものであり得る。あるセルの負荷情報が予め設定された閾値を越えない場合、そのセルが、閉鎖予定セルとして決定される。あるセルの負荷情報が予め設定された範囲内である場合、そのセルが、閉鎖予定セルとして決定される。それからネットワーク制御デバイスは、閉鎖予定セルに従って少なくとも１つの第２アクセスネットワークデバイスを決定する。少なくとも１つの第２アクセスネットワークデバイスにより形成されるネットワークカバレッジエリアが、閉鎖予定セルに対応する地理的エリアを含むべきであり、これにより、閉鎖予定セルにおけるサービスを少なくとも１つの第２アクセスネットワークデバイスへ移行する目的が果たされる。サービス移行が完了した後、閉鎖予定セルは閉鎖され得る。セルは、例えば、そのセルに対応する無線周波数モジュール、ベースバンドモジュール、およびメイン制御モジュールなどの複数のモジュールを閉鎖する、またはハイバネートさせるなどの複数のやり方で閉鎖され得る。
【００４１】
本実施形態で提供される異種ネットワークエネルギー節約方法によると、ネットワーク制御デバイスにより、第１アクセスネットワークデバイスの全てのセルの負荷情報が取得され、全てのセルの負荷情報に従って、閉鎖予定セルが決定され、閉鎖予定セルに従って少なくとも１つの第２アクセスネットワークデバイスが決定され、閉鎖予定セルにおけるサービスが少なくとも１つの第２アクセスネットワークデバイスへ移行され、閉鎖予定セルが閉鎖され、閉鎖予定セルは、少なくとも１つの第２アクセスネットワークデバイスにより形成されるネットワークカバレッジエリア内にある。容量強化タイプのネットワークリソースを提供する第１アクセスネットワークデバイスのセルの負荷が監視され、そのセルが少量のサービス負荷量に耐えているとき、そのセルのサービスがカバレッジタイプのネットワークリソースを提供するのに用いられる第２アクセスネットワークデバイスへ移行され、そのセルは閉鎖される。このことによって異種ネットワーク上でエネルギー節約処理が実装され、リソースの無駄を避けることになる。
【００４２】
本実施形態において、段階２０に関して説明されているように、ネットワーク制御デバイスが、全てのセルの負荷情報に従って閉鎖予定セルを決定する段階は、ネットワーク制御デバイスにより、第１の予め設定された閾値を越えない負荷情報を有するセルを閉鎖予定セルとして決定する段階を含み得る。
【００４３】
具体的に、あるセルの負荷情報が第１の予め設定された閾値を越えない場合、このことは、そのセルが負荷量が比較的小さいことを示し、サービス移行がそのセルに対して実行され得、そのセルが閉鎖され得る。実際の処理プロセスにおいて、そのセルで伝送されるサービスのサービスタイプがハンドオーバーをサポートするかがさらに決定され得る。そのセルで伝送されるサービスのサービスタイプがハンドオーバーをサポートする場合、先述の処理が実行される。そのセルで伝送されるサービスのサービスタイプがハンドオーバーをサポートしない場合、何ら処理が実行されない。
【００４４】
本実施形態において、段階２０に関して説明されているように、ネットワーク制御デバイスが、閉鎖予定セルに従って少なくとも１つの第２アクセスネットワークデバイスを決定し、閉鎖予定セルにおけるサービスを少なくとも１つの第２アクセスネットワークデバイスへ移行する段階は、以下の段階を含み得る。ネットワーク制御デバイスにより、閉鎖予定セルに従って少なくとも１つの第２アクセスネットワークデバイスを決定する段階。ネットワーク制御デバイスにより、第１負荷情報取得要求を少なくとも１つの第２アクセスネットワークデバイスへ別々に送信し、少なくとも１つの第２アクセスネットワークデバイスにより別々に戻された負荷情報を受信する段階。および、ネットワーク制御デバイスにより、閉鎖予定セルの負荷情報と、少なくとも１つの第２アクセスネットワークデバイスの負荷情報とに従って、閉鎖予定セルの負荷に少なくとも１つの第２アクセスネットワークデバイスが耐えられるかを決定し、閉鎖予定セルの負荷を少なくとも１つの第２アクセスネットワークデバイスが耐えられる場合、閉鎖予定セルにおけるサービスを少なくとも１つの第２アクセスネットワークデバイスへ移行する段階。
【００４５】
具体的に、ネットワーク制御デバイスは、ネットワークトポロジー情報に従って、閉鎖予定セルをカバー出来る少なくとも１つの第２アクセスネットワークデバイスを決定し得、ネットワーク制御デバイスは、第１負荷取得要求を少なくとも１つの第２アクセスネットワークデバイスへ別々に送信し、これにより、各第２アクセスネットワークデバイスの負荷情報を取得する。実際の適用プロセスにおいて、ネットワーク制御デバイスは、閉鎖予定セルと同じカバレッジエリアを有し、第２アクセスネットワークデバイスのものであるセルを決定し得、したがって、ネットワーク制御デバイスは、第２アクセスネットワークデバイスのセルの負荷情報を直接的に取得し得る。閉鎖予定セルと同じカバレッジエリアを有し、第２アクセスネットワークデバイスのものであるセルが閉鎖予定セルの負荷に耐えられる場合、閉鎖予定セルのサービスが、閉鎖予定セルと同じカバレッジエリアを有し、第２アクセスネットワークデバイスのものであるそのセルへ移行される。閉鎖予定セルと同じカバレッジエリアを有し、第２アクセスネットワークデバイスのものであるセルが閉鎖予定セルの負荷に耐えることが出来ない場合、サービス移行処理は実行されない。第２アクセスネットワークデバイスの負荷情報に従ってサービス移行処理を実行することにより、第２アクセスネットワークデバイスに大きな負荷がかかっているときに、移行されるサービスに第２アクセスネットワークデバイスが首尾よく耐えることが出来ないケースが避けられ得、このことは、サービス移行の信頼性を向上させる。
【００４６】
実際の適用プロセスにおいて、閉鎖予定セルと同じカバレッジエリアを有し、第２アクセスネットワークデバイスのものであるセルが閉鎖予定セルの負荷に耐えられるかを決定するプロセスは、以下のように説明され得る。説明を容易にするために、閉鎖予定セルと同じカバレッジエリアを有し第２アクセスネットワークデバイスのものであるセルは、マクロセルと呼ばれる。マクロセル自体の負荷量がＬｕｓｅｄ＿ｍａｃｒｏであり、閉鎖予定セルの負荷量がＬｕｓｅｄ＿ｍｉｃｒｏであり、閉鎖予定セルの、マクロセルの負荷量に変換された負荷量がＬ'ｕｓｅｄ＿ｍｉｃｒｏであるものと仮定する。Ｌｕｓｅｄ＿ｍａｃｒｏ＋Ｌ'ｕｓｅｄ＿ｍｉｃｒｏ＋Ｍａｒｇｉｎが予め設定された閾値よりも大きくない場合、マクロセルの負荷マージンが、閉鎖予定セルの負荷を完全にサポートするのに用いられ得ると見なされる。負荷の変換は、次の式を用いて実装され得る。Ｌ'ｕｓｅｄ＿ｍｉｃｒｏ＝Ｌｕｓｅｄ＿ｍｉｃｒｏ×α。ここでαは負荷変換係数である。第２アクセスネットワークデバイスがマルチキャリアネットワークデバイスである場合、閉鎖予定セルと同じカバレッジエリアを有するセクタが閉鎖予定セルの負荷に耐えられるかが決定され得る。セクタの負荷が、そのセクタの全てのキャリアに対応する複数のセルの複数の負荷を加算することにより得られ得る。同様に、セクタの負荷マージンは、全てのキャリアに対応する複数のセルの複数の負荷マージンの合計に等しい。
【００４７】
本実施形態において、段階１０に関して説明されているように、ネットワーク制御デバイスが、第１アクセスネットワークデバイスの全てのセルの負荷情報を取得する段階は、ネットワーク制御デバイスにより、第２負荷情報取得要求を第１アクセスネットワークデバイスへ送信し、第１アクセスネットワークデバイスにより戻された全てのセルの負荷情報を受信する段階を含み得る。
【００４８】
具体的に、ネットワーク制御デバイスは、第２負荷情報取得要求を第１アクセスネットワークデバイスへリアルタイムで、または予め設定された期間内に送信し得、これにより、第１アクセスネットワークデバイスの全てのセルの負荷情報を取得し得る。予め設定された期間は、分、時間、または同様のもの、または同様のもので表され得る。第１アクセスネットワークデバイスが配置されている地理的位置がオフィスビルでああり、第１アクセスネットワークデバイスが、このオフィスビル内のユーザへネットワークアクセスサービスを主に提供する場合、ネットワーク制御デバイスの作動時間がさらに予め設定され得る。例えば、ネットワーク制御デバイスは、夕方から翌日の早朝の期間内に、または休日に作動するよう設定され得る。作動時間の間、ネットワーク制御デバイスは、第１アクセスネットワークデバイスの全てのセルの負荷情報をリアルタイムで、または予め設定された期間内に取得する。ネットワーク制御デバイスの作動の仕方も、実際のネットワークエネルギー節約要求に従って設定され得、このことに関しては本実施形態に限定されない。
【００４９】
本実施形態において、段階２０に関して説明されているように、ネットワーク制御デバイスが、閉鎖予定セルにおけるサービスを少なくとも１つの第２アクセスネットワークデバイスへ移行し、閉鎖予定セルを閉鎖する段階は、ネットワーク制御デバイスにより、閉鎖予定セルを示すのに用いられる識別子を伝送する第１ハンドオーバーコマンドを第１アクセスネットワークデバイスへ送信し、これにより、第１アクセスネットワークデバイスは、閉鎖予定セルからサービスを受けるユーザ機器ＵＥを少なくとも１つの第２アクセスネットワークデバイスへハンドオーバーし少なくとも１つの第２アクセスネットワークデバイスに接続する、段階と、閉鎖予定セルを閉鎖する段階とを含む。
【００５０】
具体的に、ネットワーク制御デバイスは、閉鎖予定セルの識別子を伝送する第１ハンドオーバーコマンドを、第１アクセスネットワークデバイスへ送信して、第１アクセスネットワークデバイスに、対応する処理を実行するよう命令する。第１ハンドオーバーコマンドを受信したとき、第１アクセスネットワークデバイスは、第１ハンドオーバーコマンドに含まれる識別子によって示されるセルが事前に閉鎖された状態になるよう設定し、すなわち、他のどの基地局からのハンドオーバー要求も拒否される。第１アクセスネットワークデバイスは、閉鎖されたセルによりサービスを受けるＵＥを少なくとも１つの第２アクセスネットワークデバイスにハンドオーバーする。実際の実装プロセスにおいて、閉鎖予定セルを閉鎖する段階は具体的に、そのセルに対応する無線周波数モジュールを閉鎖する段階、またはそのセルの状態をハイバネートに設定する段階であり得る。
【００５１】
先述のハンドオーバプロセスにおいて、第１アクセスネットワークデバイスは、ハンドオーバー命令をＵＥへ送信し得、これにより、ＵＥは、ハンドオーバー命令に従ってアクセスネットワークデバイスハンドオーバを実行し得る。また第１アクセスネットワークデバイスは、閉鎖予定セルに対応する無線周波数モジュールの送信電力を徐々に下げ得、ＵＥにより検出される信号品質が予め設定された値より低いとき、ＵＥはそれ自体により、第１アクセスネットワークデバイスと同じカバレッジエリアを有し、第２アクセスネットワークデバイスのものであるセルへハンドオーバーする。
【００５２】
図２は、本願発明の実施形態に係る第２の異種ネットワークエネルギー節約方法のフローチャートである。図２に示されているように、本実施形態において、段階２０に関して説明されているように、ネットワーク制御デバイスが、閉鎖予定セルにおけるサービスを少なくとも１つの第２アクセスネットワークデバイスへ移行し、閉鎖予定セルを閉鎖した後、方法はさらに以下を含む。
【００５３】
段階３０。ネットワーク制御デバイスが、第１アクセスネットワークデバイスにより送信されたセルハイバネート通知メッセージであって、閉鎖されたセルを示すのに用いられる識別子を伝送するセルハイバネート通知メッセージを受信し、セルハイバネート通知メッセージを少なくとも１つの第２アクセスネットワークデバイスへ送信する。
【００５４】
具体的に、閉鎖予定セルを閉鎖した後、第１アクセスネットワークデバイスは、閉鎖されたセルの識別子を伝送するセルハイバネート通知メッセージをネットワーク制御デバイスへ送信する。それからネットワーク制御デバイスは、セルハイバネート通知メッセージを少なくとも１つの第２アクセスネットワークデバイスへ送信し、これにより、第２アクセスネットワークデバイスは、第２アクセスネットワークデバイスと同じカバレッジエリアを有する、第１アクセスネットワークデバイスのセルが閉鎖されているかを知る。
【００５５】
本実施形態において、段階２０に関して説明されているように、ネットワーク制御デバイスが、閉鎖予定セルを閉鎖した後、方法はさらに以下を含む。
【００５６】
段階４０。ネットワーク制御デバイスが、少なくとも１つの第２アクセスネットワークデバイスのうち１つの第２アクセスネットワークデバイスにより送信された第１起動要求を受信する。
【００５７】
段階５０。ネットワーク制御デバイスが、第１アクセスネットワークデバイスの閉鎖されたセルから起動予定セルを選択し、起動予定セルを示すのに用いられる識別子を伝送する第２起動要求を第１アクセスネットワークデバイスへ送信し、これにより、第１アクセスネットワークデバイスは、起動予定セルに対応する無線周波数モジュールを作動させる。
【００５８】
具体的に、第２アクセスネットワークデバイスはさらに、第２アクセスネットワークデバイスの負荷状態を検出し得る。負荷量が比較的大きく、第２アクセスネットワークデバイスの負荷量が第１アクセスネットワークデバイスによりオフロードされる必要があるとき、第２アクセスネットワークデバイスはさらに、第１起動要求をネットワーク制御デバイスへ送信し得、これにより、閉鎖されたセルを起動させ得る。第１起動要求を受信したとき、ネットワーク制御デバイスは、第１アクセスネットワークデバイスの閉鎖されたセルから起動予定セルを選択する。ここで起動予定セルに対応する地理的エリアが、第２アクセスネットワークデバイスのネットワークカバレッジエリア内にあるべきである。第１起動要求はさらに、第２アクセスネットワークデバイスのセルの負荷量が比較的大きく、オフロードが実行される必要があることを示すべくセルの識別子を伝送し得、これにより、ネットワーク制御デバイスは、第２アクセスネットワークデバイスのセルと同じカバレッジエリアを有し、第１アクセスネットワークデバイスのものである閉鎖されたセルを起動予定セルとして決定する。ネットワーク制御デバイスは、起動予定セルの識別子を伝送する第２起動要求を第１アクセスネットワークデバイスへ送信する。それに対応して、第２起動要求を受信した後、第１アクセスネットワークデバイスは、起動予定セルに対応する無線周波数モジュールを作動させる。すなわち、セルが起動させられる。第１アクセスネットワークデバイスは、無線周波数モジュールの送信電力を徐々に上げてセルのカバレッジ半径を徐々に広げ得、また最大送信電力を用いてそのセルを直接的に作動させ得る。ＵＥはそれ自体により、検出された信号品質に従って第１アクセスネットワークデバイスのセルへハンドオーバーし得、これにより、第２アクセスネットワークデバイスのためにオフロードを実装し得る。第１アクセスネットワークデバイスはさらに、ネットワーク制御デバイスを用いて、第２アクセスネットワークデバイスに、起動させられている複数のセルを通知し得る。第２アクセスネットワークデバイスは、第２アクセスネットワークデバイスによりサービスを受けるＵＥへハンドオーバー命令を送信し得、これにより、ＵＥを第１アクセスネットワークデバイスへハンドオーバーし得る。
【００５９】
本実施形態において、ネットワーク制御デバイスは第１アクセスネットワークデバイスであり、段階１０に関して説明されているように、それに対応してネットワーク制御デバイスが、第１アクセスネットワークデバイスの全てのセルの負荷情報を取得する段階は、第１アクセスネットワークデバイスにより、測定を用いて、全てのセルの負荷情報を取得する段階を含み得る。
【００６０】
具体的に、ネットワーク制御デバイスは、第１アクセスネットワークデバイスを用いることによっても実装され得、本適用シナリオにおいて、第１アクセスネットワークデバイスは、第１アクセスネットワークデバイスの全てのセルの負荷状態を測定し得、これにより、負荷情報を得得る。
【００６１】
本実施形態において、段階２０に関して説明されているように、ネットワーク制御デバイスが、閉鎖予定セルにおけるサービスを少なくとも１つの第２アクセスネットワークデバイスへ移行し、閉鎖予定セルを閉鎖する段階は、第１アクセスネットワークデバイスにより、閉鎖予定セルからサービスを受けるＵＥを少なくとも１つの第２アクセスネットワークデバイスへハンドオーバーし少なくとも１つの第２アクセスネットワークデバイスに接続し、閉鎖予定セルを閉鎖する段階を含み得る。
【００６２】
本実施形態において、第１アクセスネットワークデバイスにより、閉鎖予定セルからサービスを受けるＵＥを少なくとも１つの第２アクセスネットワークデバイスへハンドオーバーし少なくとも１つの第２アクセスネットワークデバイスに接続する段階は、
第１アクセスネットワークデバイスにより、第２ハンドオーバーコマンドを閉鎖予定セルからサービスを受けるＵＥへ送信し、これにより、ＵＥは、第２ハンドオーバーコマンドに従って、少なくとも１つの第２アクセスネットワークデバイスのうち１つの第２アクセスネットワークデバイスへハンドオーバーし１つの第２アクセスネットワークデバイスに接続する、段階、または、
第１アクセスネットワークデバイスにより、閉鎖予定セルに対応する無線周波数モジュールの送信電力を徐々に下げ、これにより、閉鎖予定セルの信号品質が予め設定された値より低いことを検出したとき、ＵＥは、少なくとも１つの第２アクセスネットワークデバイスのうち１つの第２アクセスネットワークデバイスに接続する、段階
を含み得る。
【００６３】
具体的に、第１アクセスネットワークデバイスがネットワーク制御デバイスとして用いられるとき、第１アクセスネットワークデバイスはそれ自体により、閉鎖予定セルを、検出されたセルの負荷状態に従って決定し、ハンドオーバーコマンドをＵＥへ送信する、または送信電力を徐々に下げるやり方でＵＥを第２アクセスネットワークデバイスへハンドオーバーし第２アクセスネットワークデバイスに接続し、これにより、サービス移行を実装し得る。サービス移行が完了した後、第１アクセスネットワークデバイスは閉鎖予定セルを閉鎖し得る。また第１アクセスネットワークデバイスは、従来技術の他のやり方を用いて先述のハンドオーバプロセスを実装し得、このことに関しては本実施形態に限定されない。
【００６４】
第１アクセスネットワークデバイスの閉鎖予定セルのサービスを第２アクセスネットワークデバイスへ移行するプロセスにおいて、第２アクセスネットワークデバイスの負荷輻輳などの理由が原因となり、ＵＥが第２アクセスネットワークデバイスへハンドオーバー出来ない、または接続出来ない場合、以下のような解決法が用いられ得る。第１アクセスネットワークデバイスが電力を下げるやり方を用いる場合、現在の電力レベルが維持され、時間Ｔの後、ＵＥのハンドオーバーが、電力を下げることにより再び試みられる。電力を下げるやり方を第１アクセスネットワークデバイスが用いない場合、作動状態が維持され、ＵＥのハンドオーバーが時間Ｔの後、再び試みられる。
【００６５】
図３は、本願発明の実施形態に係る第３の異種ネットワークエネルギー節約方法のフローチャートである。図３に示されているように、本実施形態において、段階２０に関して説明されているように、ネットワーク制御デバイスが、閉鎖予定セルにおけるサービスを少なくとも１つの第２アクセスネットワークデバイスへ移行し、閉鎖予定セルを閉鎖した後、方法はさらに以下を含み得る。
【００６６】
段階３１。第１アクセスネットワークデバイスが、閉鎖されたセルを示すのに用いられる識別子を伝送するセルハイバネート通知メッセージを少なくとも１つの第２アクセスネットワークデバイスへ送信する。
【００６７】
具体的に、セルを閉鎖した後、第１アクセスネットワークデバイスは、第２アクセスネットワークデバイスに、どれが閉鎖されたセルなのかを通知する。
【００６８】
本実施形態において、段階２０に関して説明されているように、ネットワーク制御デバイスが、閉鎖予定セルを閉鎖した後、方法はさらに以下を含む。
【００６９】
段階４１。第１アクセスネットワークデバイスが、少なくとも１つの第２アクセスネットワークデバイスのうち１つの第２アクセスネットワークデバイスにより送信された起動要求であって、起動予定セルを示すのに用いられる識別子を伝送する起動要求を受信する。
【００７０】
段階５１。第１アクセスネットワークデバイスが、起動予定セルに対応する無線周波数モジュールを作動させる。
【００７１】
具体的に、第２アクセスネットワークデバイスはさらに、第２アクセスネットワークデバイスの負荷状態を検出し得る。負荷量が比較的大きく、第２アクセスネットワークデバイスの負荷量が第１アクセスネットワークデバイスによりオフロードされる必要があるとき、第２アクセスネットワークデバイスはさらに、起動要求を第１アクセスネットワークデバイスへ送信し得、これにより、閉鎖されたセルを起動させ得る。第２アクセスネットワークデバイスは、Ｘ２インタフェースを用いて第１アクセスネットワークデバイスと信号交換を行い得る。起動要求を受信したとき、第１アクセスネットワークデバイスは、閉鎖されたセルから起動予定セルを選択する。ここで起動予定セルに対応する地理的エリアが、第２アクセスネットワークデバイスのネットワークカバレッジエリア内にあるべきである。起動要求はさらに、第２アクセスネットワークデバイスのセルの負荷量が比較的大きく、オフロードが実行される必要があることを示すべくセルの識別子を伝送し得、これにより、第１アクセスネットワークデバイスは、第２アクセスネットワークデバイスのセルと同じカバレッジエリアを有し、第１アクセスネットワークデバイスのものである閉鎖されたセルを起動予定セルとして決定する。第１アクセスネットワークデバイスは、起動予定セルに対応する無線周波数モジュールを作動させる。すなわち、セルが起動させられる。第１アクセスネットワークデバイスは、無線周波数モジュールの送信電力を徐々に上げてセルのカバレッジ半径を徐々に広げ得、また最大送信電力を用いてそのセルを直接的に作動させ得る。ＵＥはそれ自体により、検出された信号品質に従って第１アクセスネットワークデバイスのセルへハンドオーバーし得、これにより、第２アクセスネットワークデバイスのためにオフロードを実装し得る。また第１アクセスネットワークデバイスは、第２アクセスネットワークデバイスに、起動させられている複数のセルを通知し得る。第２アクセスネットワークデバイスは、第２アクセスネットワークデバイスによりサービスを受けるＵＥへハンドオーバー命令を送信し得、これにより、ＵＥを第１アクセスネットワークデバイスへハンドオーバーし得る。
【００７２】
本実施形態において、段階５１に関して説明されているように、第１アクセスネットワークデバイスが、起動予定セルに対応する無線周波数モジュールを作動させる段階は、
第１アクセスネットワークデバイスにより、最大送信電力を用いて、起動予定セルに対応する無線周波数モジュールを作動させる段階、または
第１アクセスネットワークデバイスにより、起動予定セルに対応する無線周波数モジュールの送信電力を徐々に上げる段階
を含み得る。
【００７３】
本願発明の実施形態において、概して、スモールセル基地局が、容量強化タイプのネットワークリソースを提供するのに用いられる。しかし、いくつかのシナリオにおいて、スモールセル基地局はカバレッジ強化機能、例えば、カバレッジホール補填、すなわち、カバレッジホールを補填する機能も有し得る。いくつかのシナリオにおいて、スモールセル基地局は概して、先述の機能の両方を提供する。したがって、方法を用いてスモールセル基地局の特定の機能を決定することが非常に重要である。具体的に、スモールセル基地局の機能（カバレッジホール補填、またはオフロード／容量強化）を決定するのを支援するのにＵＥが用いられ得る。
【００７４】
具体的に、近くにあるマクロネットワークが、スモールセル基地局において隣接セルとして構成され得、それからスモールセル基地局にキャンプオンしている、またはスモールセル基地局にキャンプオンしているときにサービスを実装するＵＥが、マクロセルの信号強度の測定を支援するのに用いられ得、これにより、ＵＥが位置するエリアにマクロセルのカバレッジが存在するかを決定し、それからスモールセル基地局の機能を決定し得る。具体的に、スモールセル基地局にキャンプオンしている、ＩＤＬＥ状態のＵＥに関して、隣接セルに関する測定を開始するようＵＥを促すよう再選択測定閾値が調整される。ＵＥによりスモールセル基地局へ報告される測定レポートに、何れのマクロセルの信号レベル情報も存在しない、または、全てのマクロセルの信号レベルＲＳＣＰまたはＲＳＲＰが閾値未満（例えば、ＲＳＣＰ≦−１１５ｄＢｍ）である場合、マクロセルカバレッジホールがカバレッジエリア内に存在すると決定され、このことは同時に、スモールセル基地局に対応するセルがオフロードのみのセルではなく、カバレッジホール補填／カバレッジ強化機能を有するセルであることを証明している。
【００７５】
スモールセル基地局にキャンプオンしておいる、接続状態にあるＵＥに関して、ハンドオーバプロセスにおいて、ＵＥがさらに、隣接セルに対する測定を開始し得る。ＵＥによりスモールセル基地局へ報告される測定レポートに、何れのマクロセルの信号レベル情報も存在しない、または、全てのマクロセルの信号レベルＲＳＣＰが閾値未満（例えば、−１１５ｄＢｍ）である場合、マクロセルカバレッジホールがカバレッジエリア内に存在すると見なされる。スモールセル基地局に対応するセルが、オフロードのみのセルではない。
【００７６】
またさらに、ＩＤＬＥ状態のＵＥ、および接続状態のＵＥの測定レポートが収集され得、測定レポートにおいて示されるセルの数および信号レベルに従って、包括的な決定処理が実行され得る。
【００７７】
先述の方法は、同じ周波数で動作するマクロセルおよびミクロセルのネットワーキングと、異なる複数の周波数で動作するマクロセルおよびミクロセルのネットワーキングとをサポートする。異なる複数の周波数で動作するマクロセルおよびミクロセルのネットワーキングに関して、異なる複数の周波数の複数の信号の測定の閾値がスモールセル基地局において下げられ得、これにより、スモールセル基地局にキャンプオンしているＵＥは、マクロセルの信号品質を測定すべく異なる複数の周波数の信号の測定を容易に開始し得る。マクロセルの信号品質の決定は、ある期間に収集された統計または蓄積された統計に基づき得る。例えば、スモールセル基地局の機能は、１週間またはそれより長い期間内に収集された統計に基づいて決定され、これにより、ＵＥは、スモールセル基地局のカバレッジエリア内にある全てのエリアを完全に横断出来ることを確実にし得る。マクロセルのカバレッジホールがリアルタイムで決定される。測定レポートにマクロセル情報が存在しない限り、またはマクロセルの信号レベルＲＳＣＰまたはＲＳＲＰが閾値未満である限り、位置が、マクロセルのカバレッジホールに含まれることを決定出来る。
【００７８】
先述の実施形態によると、ＨｅｔＮｅｔネットワーキングシナリオにおいて、スモールセル基地局にキャンプオンしているＵＥが、測定の実行を支援するのに用いられ、これにより、マクロネットワークのカバレッジホールを検出し、スモールセル基地局の機能（カバレッジホール補填／カバレッジ強化またはオフロード／容量強化）を決定する。これは、スモールセル基地局によりカバーされるセルが閉鎖されることが出来るかを決定するための条件として用いられ得る。図４は、本願発明の実施形態に係る第１のネットワーク制御デバイスの構造の概略図である。図４に示されているように、本実施形態で提供されるネットワーク制御デバイスは具体的に、本願発明の何れの実施形態で提供されている異種ネットワークエネルギー節約方法の各段階も実装し得、具体的な実装プロセスはここで再び詳細には説明されていない。
【００７９】
本実施形態で提供されるネットワーク制御デバイスは具体的に、
第１アクセスネットワークデバイスの全てのセルの負荷情報を取得するよう構成された取得ユニット１１と、
全てのセルの、取得ユニット１１により取得された負荷情報に従って、閉鎖予定セルを決定し、閉鎖予定セルに従って少なくとも１つの第２アクセスネットワークデバイスを決定し、閉鎖予定セルにおけるサービスを少なくとも１つの第２アクセスネットワークデバイスへ移行し、閉鎖予定セルを閉鎖するよう構成された処理ユニット１２であって、閉鎖予定セルは、少なくとも１つの第２アクセスネットワークデバイスにより形成されるネットワークカバレッジエリア内にある、処理ユニット１２と
を含む。
【００８０】
本実施形態で提供されるネットワーク制御デバイスによると、容量強化タイプのネットワークリソースを提供する第１アクセスネットワークデバイスのセルの負荷が監視され、そのセルが少量のサービス負荷量に耐えているとき、そのセルのサービスがカバレッジタイプのネットワークリソースを提供するのに用いられる第２アクセスネットワークデバイスへ移行され、そのセルは閉鎖される。このことによって異種ネットワーク上でエネルギー節約処理が実装され、リソースの無駄を避けることになる。
【００８１】
本実施形態において、処理ユニット１２はさらに、第１の予め設定された閾値を越えない負荷情報を有するセルを閉鎖予定セルとして決定するよう構成され得る。
【００８２】
本実施形態において、処理ユニット１２はさらに、閉鎖予定セルに従って少なくとも１つの第２アクセスネットワークデバイスを決定し、第１負荷情報取得要求を少なくとも１つの第２アクセスネットワークデバイスへ別々に送信し、少なくとも１つの第２アクセスネットワークデバイスにより別々に戻された負荷情報を受信し、閉鎖予定セルの負荷情報と、少なくとも１つの第２アクセスネットワークデバイスの負荷情報とに従って、閉鎖予定セルの負荷に少なくとも１つの第２アクセスネットワークデバイスが耐えられるかを決定し、閉鎖予定セルの負荷に少なくとも１つの第２アクセスネットワークデバイスが耐えられる場合、閉鎖予定セルにおけるサービスを少なくとも１つの第２アクセスネットワークデバイスへ移行するよう構成され得る。
【００８３】
本実施形態において、取得ユニット１１はさらに、第２負荷情報取得要求を第１アクセスネットワークデバイスへ送信し、第１アクセスネットワークデバイスにより戻された全てのセルの負荷情報を受信するよう構成され得る。
【００８４】
本実施形態において、処理ユニット１２はさらに、閉鎖予定セルを示すのに用いられる識別子を伝送する第１ハンドオーバーコマンドを第１アクセスネットワークデバイスへ送信するよう構成され得、これにより、第１アクセスネットワークデバイスは、閉鎖予定セルからサービスを受けるユーザ機器ＵＥを少なくとも１つの第２アクセスネットワークデバイスへハンドオーバーし少なくとも１つの第２アクセスネットワークデバイスに接続し得、処理ユニット１２はさらに、閉鎖予定セルを閉鎖するよう構成され得る。
【００８５】
本実施形態において、処理ユニット１２はさらに、第１アクセスネットワークデバイスにより送信されたセルハイバネート通知メッセージであって、閉鎖されたセルを示すのに用いられる識別子を伝送するセルハイバネート通知メッセージを受信し、セルハイバネート通知メッセージを少なくとも１つの第２アクセスネットワークデバイスへ送信するよう構成され得る。
【００８６】
本実施形態において、処理ユニット１２はさらに、少なくとも１つの第２アクセスネットワークデバイスのうち１つの第２アクセスネットワークデバイスにより送信された第１起動要求を受信し、第１アクセスネットワークデバイスの閉鎖されたセルから起動予定セルを選択し、起動予定セルを示すのに用いられる識別子を伝送する第２起動要求を第１アクセスネットワークデバイスへ送信するよう構成され得、これにより、第１アクセスネットワークデバイスは、起動予定セルに対応する無線周波数モジュールを作動させ得る。
【００８７】
本実施形態において、ネットワーク制御デバイスは第１アクセスネットワークデバイスである。それに対応して、取得ユニット１１はさらに、測定を用いて、全てのセルの負荷情報を取得するよう構成され得る。
【００８８】
本実施形態において、処理ユニット１２はさらに、閉鎖予定セルからサービスを受けるＵＥを少なくとも１つの第２アクセスネットワークデバイスへハンドオーバーし少なくとも１つの第２アクセスネットワークデバイスに接続し、閉鎖予定セルを閉鎖するよう構成され得る。
【００８９】
本実施形態において、処理ユニット１２はさらに、第２ハンドオーバーコマンドを閉鎖予定セルからサービスを受けるＵＥへ送信するよう構成され得、これにより、ＵＥは、第２ハンドオーバーコマンドに従って、少なくとも１つの第２アクセスネットワークデバイスのうち１つの第２アクセスネットワークデバイスへハンドオーバーし１つの第２アクセスネットワークデバイスに接続し得、または、処理ユニット１２はさらに、閉鎖予定セルに対応する無線周波数モジュールの送信電力を徐々に下げるよう構成され得、これにより、閉鎖予定セルの信号品質が予め設定された値より低いことを検出したとき、ＵＥは、少なくとも１つの第２アクセスネットワークデバイスのうち１つの第２アクセスネットワークデバイスに接続し得る。
【００９０】
本実施形態において、処理ユニット１２はさらに、閉鎖されたセルを示すのに用いられる識別子を伝送するセルハイバネート通知メッセージを少なくとも１つの第２アクセスネットワークデバイスへ送信するよう構成され得る。
【００９１】
本実施形態において、処理ユニット１２はさらに、少なくとも１つの第２アクセスネットワークデバイスのうち１つの第２アクセスネットワークデバイスにより送信された起動要求であって、起動予定セルを示すのに用いられる識別子を伝送する起動要求を受信し、起動予定セルに対応する無線周波数モジュールを作動させるよう構成され得る。
【００９２】
本実施形態において、処理ユニット１２はさらに、最大送信電力を用いて、起動予定セルに対応する無線周波数モジュールを作動させるよう、または、起動予定セルに対応する無線周波数モジュールの送信電力を徐々に上げるよう構成され得る。
【００９３】
図５は、本願発明の実施形態に係る第２のネットワーク制御デバイスの構造の概略図である。図５に示されているように、本実施形態で提供されるネットワーク制御デバイス７００は具体的に、本願発明の何れの実施形態で提供されている異種ネットワークエネルギー節約方法の各段階も実装し得、具体的な実装プロセスはここで再び詳細には説明されていない。
【００９４】
本実施形態で提供されるネットワーク制御デバイス７００は具体的に、プロセッサ７１０と、通信インタフェース７２０と、メモリ７３０と、バス７４０とを含む。
【００９５】
プロセッサ７１０、通信インタフェース７２０、およびメモリ７３０はバス７４０を用いて相互接続されている。
【００９６】
通信インタフェース７２０は、第１アクセスネットワークデバイスの全てのセルの負荷情報を取得するよう構成されている。
【００９７】
メモリ７３０は、命令またはデータを格納するよう構成されている。
【００９８】
プロセッサ７１０は、メモリ７３０に格納されている命令を呼び出し、これにより、全てのセルの負荷情報に従って閉鎖予定セルを決定する手順と、閉鎖予定セルに従って少なくとも１つの第２アクセスネットワークデバイスを決定する手順と、閉鎖予定セルにおけるサービスを少なくとも１つの第２アクセスネットワークデバイスへ移行する手順と、閉鎖予定セルを閉鎖する手順とを実装する。ここで閉鎖予定セルは、少なくとも１つの第２アクセスネットワークデバイスにより形成されるネットワークカバレッジエリア内にある。
【００９９】
本実施形態において、プロセッサ７１０はさらに、第１の予め設定された閾値を越えない負荷情報を有するセルを閉鎖予定セルとして決定するよう構成されている。
【０１００】
本実施形態において、プロセッサ７１０はさらに、閉鎖予定セルに従って少なくとも１つの第２アクセスネットワークデバイスを決定するよう構成されている。
【０１０１】
通信インタフェース７２０はさらに、第１負荷情報取得要求を少なくとも１つの第２アクセスネットワークデバイスへ別々に送信し、少なくとも１つの第２アクセスネットワークデバイスにより別々に戻された負荷情報を受信するよう構成されている。
【０１０２】
プロセッサ７１０はさらに、閉鎖予定セルの負荷情報と、少なくとも１つの第２アクセスネットワークデバイスの負荷情報とに従って、閉鎖予定セルの負荷に少なくとも１つの第２アクセスネットワークデバイスが耐えられるかを決定し、閉鎖予定セルの負荷を少なくとも１つの第２アクセスネットワークデバイスが耐えられる場合、閉鎖予定セルにおけるサービスを少なくとも１つの第２アクセスネットワークデバイスへ移行するよう構成されている。
【０１０３】
本実施形態において、通信インタフェース７２０はさらに、第２負荷情報取得要求を第１アクセスネットワークデバイスへ送信し、第１アクセスネットワークデバイスにより戻された全てのセルの負荷情報を受信するよう構成されている。
【０１０４】
本実施形態において、通信インタフェース７２０はさらに、閉鎖予定セルを示すのに用いられる識別子を伝送する第１ハンドオーバーコマンドを第１アクセスネットワークデバイスへ送信するよう構成されており、これにより、第１アクセスネットワークデバイスは、閉鎖予定セルからサービスを受けるユーザ機器ＵＥを少なくとも１つの第２アクセスネットワークデバイスへハンドオーバーし少なくとも１つの第２アクセスネットワークデバイスに接続し、通信インタフェース７２０はさらに、閉鎖予定セルを閉鎖するよう構成されている。
【０１０５】
本実施形態において、通信インタフェース７２０はさらに、第１アクセスネットワークデバイスにより送信されたセルハイバネート通知メッセージであって、閉鎖されたセルを示すのに用いられる識別子を伝送するセルハイバネート通知メッセージを受信し、セルハイバネート通知メッセージを少なくとも１つの第２アクセスネットワークデバイスへ送信するよう構成されている。
【０１０６】
本実施形態において、通信インタフェース７２０はさらに、少なくとも１つの第２アクセスネットワークデバイスのうち１つの第２アクセスネットワークデバイスにより送信された第１起動要求を受信するよう構成されている。
【０１０７】
プロセッサ７１０はさらに、第１アクセスネットワークデバイスの閉鎖されたセルから起動予定セルを選択するよう構成されている。
【０１０８】
プロセッサ７２０はさらに、起動予定セルを示すのに用いられる識別子を伝送する第２起動要求を第１アクセスネットワークデバイスへ送信するよう構成され、これにより、第１アクセスネットワークデバイスは、起動予定セルに対応する無線周波数モジュールを作動させる。
【０１０９】
本実施形態において、ネットワーク制御デバイスは第１アクセスネットワークデバイスである。
【０１１０】
通信インタフェース７２０はさらに、測定を用いて、全てのセルの負荷情報を取得するよう構成されている。
【０１１１】
本実施形態において、処理ユニット７１０はさらに、閉鎖予定セルからサービスを受けるＵＥを少なくとも１つの第２アクセスネットワークデバイスへハンドオーバーし少なくとも１つの第２アクセスネットワークデバイスに接続し、閉鎖予定セルを閉鎖するよう構成されている。
【０１１２】
本実施形態において、通信インタフェース７２０はさらに、第２ハンドオーバーコマンドを閉鎖予定セルからサービスを受けるＵＥへ送信するよう構成され得、これにより、ＵＥは、第２ハンドオーバーコマンドに従って、少なくとも１つの第２アクセスネットワークデバイスのうち１つの第２アクセスネットワークデバイスへハンドオーバーし１つの第２アクセスネットワークデバイスに接続し得、または、プロセッサ７１０はさらに、閉鎖予定セルに対応する無線周波数モジュールの送信電力を徐々に下げるよう構成され得、これにより、閉鎖予定セルの信号品質が予め設定された値より低いことを検出したとき、ＵＥは、少なくとも１つの第２アクセスネットワークデバイスのうち１つの第２アクセスネットワークデバイスに接続し得る。
【０１１３】
本実施形態において、通信インタフェース７２０はさらに、閉鎖されたセルを示すのに用いられる識別子を伝送するセルハイバネート通知メッセージを少なくとも１つの第２アクセスネットワークデバイスへ送信するよう構成され得る。
【０１１４】
本実施形態において、通信インタフェース７２０はさらに、少なくとも１つの第２アクセスネットワークデバイスのうち１つの第２アクセスネットワークデバイスにより送信された起動要求であって、起動予定セルを示すのに用いられる識別子を伝送する起動要求を受信するよう構成されている。
【０１１５】
プロセッサ７１０はさらに、起動予定セルに対応する無線周波数モジュールを作動させるよう構成されている。
【０１１６】
本実施形態において、プロセッサ７１０はさらに、最大送信電力を用いて、起動予定セルに対応する無線周波数モジュールを作動させるよう、または、起動予定セルに対応する無線周波数モジュールの送信電力を徐々に上げるよう構成されている。
【０１１７】
当業者は、方法の複数の実施形態の複数の段階のうち全てまたは一部が、プログラムが関連するハードウェアに命令することにより実装され得ることを理解し得よう。そのプログラムは、コンピュータ可読記憶媒体に格納され得る。プログラムが動作したとき、それら方法の複数の実施形態の複数の段階が実行される。先述の記憶媒体は、ＲＯＭ、ＲＡＭ、磁気ディスク、または光学ディスクなどの、プログラムコードを格納出来る何れの媒体も含む。
（項目１）
ネットワーク制御デバイスにより、第１アクセスネットワークデバイスの全てのセルの負荷情報を取得する段階と、
上記ネットワーク制御デバイスにより、上記全てのセルの上記負荷情報に従って、閉鎖予定セルを決定し、上記閉鎖予定セルに従って少なくとも１つの第２アクセスネットワークデバイスを決定し、上記閉鎖予定セルにおけるサービスを上記少なくとも１つの第２アクセスネットワークデバイスへ移行し、上記閉鎖予定セルを閉鎖する段階であって、上記閉鎖予定セルは、上記少なくとも１つの第２アクセスネットワークデバイスにより形成されるネットワークカバレッジエリア内にある、段階と
を備える、異種ネットワークエネルギー節約方法。
（項目２）
上記ネットワーク制御デバイスにより、上記全てのセルの上記負荷情報に従って、閉鎖予定セルを決定する上記段階は、上記ネットワーク制御デバイスにより、第１の予め設定された閾値を越えない負荷情報を有するセルを上記閉鎖予定セルとして決定する段階を有する、項目１に記載の異種ネットワークエネルギー節約方法。
（項目３）
上記ネットワーク制御デバイスにより、上記閉鎖予定セルに従って少なくとも１つの第２アクセスネットワークデバイスを決定し、上記閉鎖予定セルにおけるサービスを上記少なくとも１つの第２アクセスネットワークデバイスへ移行する上記段階は、
上記ネットワーク制御デバイスにより、上記閉鎖予定セルに従って上記少なくとも１つの第２アクセスネットワークデバイスを決定する段階と、
上記ネットワーク制御デバイスにより、第１負荷情報取得要求を上記少なくとも１つの第２アクセスネットワークデバイスへ別々に送信し、上記少なくとも１つの第２アクセスネットワークデバイスにより別々に戻された負荷情報を受信する段階と、
上記ネットワーク制御デバイスにより、上記閉鎖予定セルの上記負荷情報と、上記少なくとも１つの第２アクセスネットワークデバイスの負荷情報とに従って、上記閉鎖予定セルの負荷に上記少なくとも１つの第２アクセスネットワークデバイスが耐えられるかを決定し、上記閉鎖予定セルの上記負荷に上記少なくとも１つの第２アクセスネットワークデバイスが耐えられる場合、上記閉鎖予定セルにおける上記サービスを上記少なくとも１つの第２アクセスネットワークデバイスへ移行する段階と
を有する、項目１または２に記載の異種ネットワークエネルギー節約方法。
（項目４）
ネットワーク制御デバイスにより、第１アクセスネットワークデバイスの全てのセルの負荷情報を取得する上記段階は、上記ネットワーク制御デバイスにより、第２負荷情報取得要求を上記第１アクセスネットワークデバイスへ送信し、上記第１アクセスネットワークデバイスにより戻された上記全てのセルの上記負荷情報を受信する段階を有する、項目１から３のいずれか一項に記載の異種ネットワークエネルギー節約方法。
（項目５）
上記ネットワーク制御デバイスにより、上記閉鎖予定セルにおけるサービスを上記少なくとも１つの第２アクセスネットワークデバイスへ移行し、上記閉鎖予定セルを閉鎖する上記段階は、
上記ネットワーク制御デバイスにより、上記閉鎖予定セルを示すのに用いられる識別子を伝送する第１ハンドオーバーコマンドを上記第１アクセスネットワークデバイスへ送信し、これにより、上記第１アクセスネットワークデバイスは、上記閉鎖予定セルからサービスを受けるユーザ機器ＵＥを上記少なくとも１つの第２アクセスネットワークデバイスへハンドオーバーし上記少なくとも１つの第２アクセスネットワークデバイスに接続する、段階と、
上記閉鎖予定セルを閉鎖する段階と
を有する、項目４に記載の異種ネットワークエネルギー節約方法。
（項目６）
上記ネットワーク制御デバイスにより、上記閉鎖予定セルにおけるサービスを上記少なくとも１つの第２アクセスネットワークデバイスへ移行し、上記閉鎖予定セルを閉鎖する上記段階の後、
上記ネットワーク制御デバイスにより、上記第１アクセスネットワークデバイスにより送信されたセルハイバネート通知メッセージであって、閉鎖されたセルを示すのに用いられる識別子を伝送するセルハイバネート通知メッセージを受信し、上記セルハイバネート通知メッセージを上記少なくとも１つの第２アクセスネットワークデバイスへ送信する段階をさらに備える、項目４に記載の異種ネットワークエネルギー節約方法。
（項目７）
上記ネットワーク制御デバイスにより、上記閉鎖予定セルを閉鎖する上記段階の後、
上記ネットワーク制御デバイスにより、上記少なくとも１つの第２アクセスネットワークデバイスのうち１つの第２アクセスネットワークデバイスにより送信された第１起動要求を受信する段階と、
上記ネットワーク制御デバイスにより、上記第１アクセスネットワークデバイスの閉鎖された複数のセルから起動予定セルを選択し、上記起動予定セルを示すのに用いられる識別子を伝送する第２起動要求を上記第１アクセスネットワークデバイスへ送信し、これにより、上記第１アクセスネットワークデバイスは、上記起動予定セルに対応する無線周波数モジュールを作動させる、段階と
をさらに備える、項目４に記載の異種ネットワークエネルギー節約方法。
（項目８）
上記ネットワーク制御デバイスは上記第１アクセスネットワークデバイスであり、
ネットワーク制御デバイスにより、第１アクセスネットワークデバイスの全てのセルの負荷情報を取得する上記段階は、
上記第１アクセスネットワークデバイスにより、測定を用いて、上記全てのセルの上記負荷情報を取得する段階を有する、項目１から３のいずれか一項に記載の異種ネットワークエネルギー節約方法。
（項目９）
上記ネットワーク制御デバイスにより、上記閉鎖予定セルにおけるサービスを上記少なくとも１つの第２アクセスネットワークデバイスへ移行し、上記閉鎖予定セルを閉鎖する上記段階は、上記第１アクセスネットワークデバイスにより、上記閉鎖予定セルからサービスを受けるＵＥを上記少なくとも１つの第２アクセスネットワークデバイスへハンドオーバーし上記少なくとも１つの第２アクセスネットワークデバイスに接続し、上記閉鎖予定セルを閉鎖する段階を有する、項目８に記載の異種ネットワークエネルギー節約方法。
（項目１０）
上記第１アクセスネットワークデバイスにより、上記閉鎖予定セルからサービスを受けるＵＥを上記少なくとも１つの第２アクセスネットワークデバイスへハンドオーバーし上記少なくとも１つの第２アクセスネットワークデバイスに接続する上記段階は、
上記第１アクセスネットワークデバイスにより、第２ハンドオーバーコマンドを上記閉鎖予定セルからサービスを受ける上記ＵＥへ送信し、これにより、上記ＵＥは、上記第２ハンドオーバーコマンドに従って、上記少なくとも１つの第２アクセスネットワークデバイスのうち１つの第２アクセスネットワークデバイスへハンドオーバーし上記１つの第２アクセスネットワークデバイスに接続する、段階、または
上記第１アクセスネットワークデバイスにより、上記閉鎖予定セルに対応する無線周波数モジュールの送信電力を徐々に下げ、これにより、上記閉鎖予定セルの信号品質が予め設定された値より低いことを検出したとき、上記ＵＥは、上記少なくとも１つの第２アクセスネットワークデバイスのうち１つの第２アクセスネットワークデバイスに接続する、段階
を含む、項目９に記載の異種ネットワークエネルギー節約方法。
（項目１１）
上記ネットワーク制御デバイスにより、上記閉鎖予定セルにおけるサービスを上記少なくとも１つの第２アクセスネットワークデバイスへ移行し、上記閉鎖予定セルを閉鎖する上記段階の後、
上記第１アクセスネットワークデバイスにより、閉鎖されたセルを示すのに用いられる識別子を伝送するセルハイバネート通知メッセージを上記少なくとも１つの第２アクセスネットワークデバイスへ送信する段階をさらに備える、項目８に記載の異種ネットワークエネルギー節約方法。
（項目１２）
上記ネットワーク制御デバイスにより、上記閉鎖予定セルを閉鎖する上記段階の後、
上記第１アクセスネットワークデバイスにより、上記少なくとも１つの第２アクセスネットワークデバイスのうち１つの第２アクセスネットワークデバイスにより送信された起動要求であって、起動予定セルを示すのに用いられる識別子を伝送する起動要求を受信する段階と、
上記第１アクセスネットワークデバイスにより、上記起動予定セルに対応する無線周波数モジュールを作動させる段階と
をさらに備える、項目８に記載の異種ネットワークエネルギー節約方法。
（項目１３）
上記第１アクセスネットワークデバイスにより、上記起動予定セルに対応する無線周波数モジュールを作動させる上記段階は、
上記第１アクセスネットワークデバイスにより、最大送信電力を用いて、上記起動予定セルに対応する上記無線周波数モジュールを作動させる段階、または
上記第１アクセスネットワークデバイスにより、上記起動予定セルに対応する上記無線周波数モジュールの送信電力を徐々に上げる段階
を有する、項目１２に記載の異種ネットワークエネルギー節約方法。
（項目１４）
第１アクセスネットワークデバイスの全てのセルの負荷情報を取得するよう構成された取得ユニットと、
上記全てのセルの、上記取得ユニットにより取得された上記負荷情報に従って、閉鎖予定セルを決定し、上記閉鎖予定セルに従って少なくとも１つの第２アクセスネットワークデバイスを決定し、上記閉鎖予定セルにおけるサービスを上記少なくとも１つの第２アクセスネットワークデバイスへ移行し、上記閉鎖予定セルを閉鎖するよう構成された処理ユニットであって、上記閉鎖予定セルは、上記少なくとも１つの第２アクセスネットワークデバイスにより形成されるネットワークカバレッジエリア内にある、処理ユニットと
を備える、ネットワーク制御デバイス。
（項目１５）
上記処理ユニットはさらに、第１の予め設定された閾値を越えない負荷情報を有するセルを上記閉鎖予定セルとして決定するよう構成されている、項目１４に記載のネットワーク制御デバイス。
（項目１６）
上記処理ユニットはさらに、
上記閉鎖予定セルに従って上記少なくとも１つの第２アクセスネットワークデバイスを決定し、
第１負荷情報取得要求を上記少なくとも１つの第２アクセスネットワークデバイスへ別々に送信し、上記少なくとも１つの第２アクセスネットワークデバイスにより別々に戻された負荷情報を受信し、
上記閉鎖予定セルの上記負荷情報と、上記少なくとも１つの第２アクセスネットワークデバイスの負荷情報とに従って、上記閉鎖予定セルの負荷に上記少なくとも１つの第２アクセスネットワークデバイスが耐えられるかを決定し、上記閉鎖予定セルの上記負荷に上記少なくとも１つの第２アクセスネットワークデバイスが耐えられる場合、上記閉鎖予定セルにおける上記サービスを上記少なくとも１つの第２アクセスネットワークデバイスへ移行する
よう構成されている、項目１４または１５に記載のネットワーク制御デバイス。
（項目１７）
上記取得ユニットはさらに、第２負荷情報取得要求を上記第１アクセスネットワークデバイスへ送信し、上記第１アクセスネットワークデバイスにより戻された上記全てのセルの負荷情報を受信するよう構成されている、項目１４から１６の何れか一項に記載のネットワーク制御デバイス。
（項目１８）
上記処理ユニットはさらに、上記閉鎖予定セルを示すのに用いられる識別子を伝送する第１ハンドオーバーコマンドを上記第１アクセスネットワークデバイスへ送信するよう構成されており、これにより、上記第１アクセスネットワークデバイスは、上記閉鎖予定セルからサービスを受けるユーザ機器ＵＥを上記少なくとも１つの第２アクセスネットワークデバイスへハンドオーバーし上記少なくとも１つの第２アクセスネットワークデバイスに接続し、上記処理ユニットはさらに、上記閉鎖予定セルを閉鎖するよう構成されている、項目１７に記載のネットワーク制御デバイス。
（項目１９）
上記処理ユニットはさらに、上記第１アクセスネットワークデバイスにより送信されたセルハイバネート通知メッセージであって、閉鎖されたセルを示すのに用いられる識別子を伝送するセルハイバネート通知メッセージを受信し、上記セルハイバネート通知メッセージを上記少なくとも１つの第２アクセスネットワークデバイスへ送信するよう構成されている、項目１７に記載のネットワーク制御デバイス。
（項目２０）
上記処理ユニットはさらに、
上記少なくとも１つの第２アクセスネットワークデバイスのうち１つの第２アクセスネットワークデバイスにより送信された第１起動要求を受信し、
上記第１アクセスネットワークデバイスの閉鎖されたセルから起動予定セルを選択し、上記起動予定セルを示すのに用いられる識別子を伝送する第２起動要求を上記第１アクセスネットワークデバイスへ送信する
よう構成されており、これにより、上記第１アクセスネットワークデバイスは、上記起動予定セルに対応する無線周波数モジュールを作動させる、項目１７に記載のネットワーク制御デバイス。
【図１】
0006336595.tif 000002
【図２】
0006336595.tif 000003
【図３】
0006336595.tif 000004
【図４】
0006336595.tif 000005
【図５】
0006336595.tif 000006